(57)【要約】      （修正有）【課題】階層メニュー表示において、表示中のメニュー階層に至るまでに入力された設定値を、ユーザに分かり易く提示することができる表示装置を提供する。【解決手段】階層メニューの遷移履歴をしめす「パンくずリスト」表示３４において、ウィザードによる入力を伴うメニュー階層、例えばＳＳＩＤ３５ｂには、対応するウィザード画面で入力された設定値３５ｄが当該画面タイトルに付加されて（３５ｅ）表示されるので、表示中のメニュー階層に至るまでに途中のウィザード画面で入力された設定値を含めた階層メニューの遷移履歴をユーザに分かり易く示すことができる。【選択図】図３
2010262450.tif 000002
【特許請求の範囲】
【請求項１】
予め準備された複数の表示情報を階層管理し、ユーザ操作に応じて前記表示部に表示する表示情報を遷移させる表示装置において、
前記表示情報の各々に対応付けられる対応文字列を記憶する対応文字列記憶手段と、
表示中の表示情報に至るまでに前記表示部において表示された各表示情報に対応する対応文字列が、文字列の長手方向に並ぶ遷移文字列を表示する遷移文字列表示手段と、
前記遷移文字列表示手段により表示される遷移文字列について、当該遷移文字列に含まれる各対応文字列に対応する表示情報に対して入力された設定値を特定し、当該特定した設定値を表す設定値情報を当該対応文字列に付加した表示にする設定値情報付加手段とを備える表示装置。
【請求項２】
第１種表示情報の表示中に、当該第１種表示情報の下位階層に位置づけられた表示情報を選択する操作をユーザが行う場合、前記表示部における表示を、その選択操作に対応した下位階層の表示情報に遷移させる選択応答手段と、
予め定められた順序で一連の設定値をユーザに入力させるためのウィザード形式によって、複数の第２種表示情報を階層に応じた順序で遷移させるウィザード実行手段とを備え、
前記遷移文字列表示手段は、前記第１種表示情報に対応する対応文字列と第２種表示情報に対応する対応文字列とを、互いに異なる列の遷移文字列に含めて表示するものであり、
前記設定値情報付加手段は、前記第２種表示情報に対応する対応文字列に、前記設定値情報を付加した表示とすることを特徴とする請求項１記載の表示装置。
【請求項３】
前記設定値情報付加手段は、
前記対応文字列と、当該対応文字列に対応する第２種表示情報に対して入力された設定値を表す設定値情報とを文字列の長手方向に連結した階層情報が、前記遷移文字列の長手方向に並ぶように、前記対応文字列に前記設定値情報を付加した表示とするものである請求項２記載の表示装置。
【請求項４】
前記設定値情報付加手段は、
前記対応文字列とは異なる表示形態で、前記設定値情報を表示するものである請求項３記載の表示装置。
【請求項５】
前記遷移文字列において、各階層情報間に第１区切り文字を介在させる第１区切り文字配置手段を備えるものである請求項４記載の表示装置。
【請求項６】
前記遷移文字列において、各階層情報に含まれる対応文字列と設定値情報との間に、前記第１区切り文字とは異なる第２区切り文字を介在させる第２区切り文字配置手段を備えるものである請求項５記載の表示装置。
【発明の詳細な説明】
【技術分野】
【０００１】
本発明は表示装置に関するものである。
【背景技術】
【０００２】
ファクシミリ機能、プリンタ機能、スキャナ機能、コピー機能などの複数の機能を１台で実現可能な多機能周辺装置が知られている。多機能周辺装置には、解像度、濃度、ズーム倍率といった各種設定項目が設けられており、ユーザは各設定項目の設定内容を適宜変更することで、所望の動作を実行させることができる。
【０００３】
多機能周辺装置における設定内容の変更操作は、例えば、以下のような手順で行われる。まず、多機能周辺装置の表示パネルに、設定用のメニュー画面を表示させる。このメニュー画面には、多機能周辺装置が有する機能毎の選択項目（例えば、一般設定、ファクシミリ設定、スキャナ設定）が含まれ、ユーザはそれらの選択項目の中からいずれかの項目を選択する。多機能周辺装置は、表示パネルにおける表示を、選択された機能に関する設定項目一覧画面に遷移させる。
【０００４】
次にユーザは、設定項目一覧画面の中から、いずれかの設定項目を選択することにより、多機能周辺装置の表示パネルにおける表示を、その設定項目の内容変更画面に遷移させる。そして、その内容変更画面が表示されている状態で、ユーザは、所望の設定内容を入力し、設定内容を変更する。
【０００５】
このように予め準備された画面がユーザ操作に従って遷移する場合に、画面遷移の履歴を示すための表示形態として、「パンくずリスト」という表現形態が知られている（例えば、特許文献１参照）。
【０００６】
パンくずリストは、例えば、「メニュー画面＞ファクシミリ設定＞解像度」というように、現在表示中の画面に至るまでに表示された各画面の名称を、並べて表現する表現形態である。パンくずリストを画面と共に表示することにより、ユーザは、当該表示中の画面が、どのような機能に関する、どのような設定項目についての画面であるかを、認識することができる。
【０００７】
一方で、設定の手順を案内する複数の画面を予め定められた順序で表示するウィザード形式によって、ユーザに設定値を入力させる機能が知られている。例えば、ネットワーク設定であれば、まず、有線ＬＡＮに接続するか、無線ＬＡＮに接続するかをユーザに設定させ、無線ＬＡＮに接続する場合は、通信するアクセスポイントを識別するためのＳＳＩＤ（Service  Set  Identifier）、接続モード、通信の暗号規格などを所定の順序で設定させる。
【先行技術文献】
【特許文献】
【０００８】
【特許文献１】特開２００６−２３６１４２号公報
【発明の概要】
【発明が解決しようとする課題】
【０００９】
しかしながら、上述のパンくずリストによって、ユーザに示される情報は、画面遷移の履歴だけであって、ユーザが一連の設定を行うために役立つ情報を、充分に提供できていないという問題点があった。例えば、ウィザード形式で表示される画面に従い、設定作業を進めていく途中で、１つの設定を誤り、当初予期していたものとは異なる設定となってしまう場合がある。その場合、ウィザードの各段階でどの設定値を入力したかをユーザが記憶していない限り、どの段階から設定をやり直せばよいか、ユーザが把握することは困難である。
【００１０】
本発明は、上記問題点を解決するためになされたものであり、表示中の表示情報に至るまでの各表示情報に対して入力された設定値を、ユーザに分かりやすく示すことができる表示装置を提供することを目的とする。
【課題を解決するための手段】
【００１１】
この目的を達成するために、本発明の表示装置は、予め準備された複数の表示情報を階層管理し、ユーザ操作に応じて前記表示部に表示する表示情報を遷移させるものであって、前記表示情報の各々に対応付けられる対応文字列を記憶する対応文字列記憶手段と、表示中の表示情報に至るまでに前記表示部において表示された各表示情報に対応する対応文字列が、文字列の長手方向に並ぶ遷移文字列を表示する遷移文字列表示手段と、前記遷移文字列表示手段により表示される遷移文字列について、当該遷移文字列に含まれる各対応文字列に対応する表示情報に対して入力された設定値を特定し、当該特定した設定値を表す設定値情報を当該対応文字列に付加した表示にする設定値情報付加手段とを備える。
【発明の効果】
【００１２】
請求項１記載の表示装置によれば、表示中の表示情報に至るまでに表示された各表示情報に対応する対応文字列が並ぶ遷移文字列により、表示の履歴をユーザに示すことができる。そして、その遷移文字列は、各対応文字列に対応する表示情報に対し入力された設定値を表す設定値情報が当該対応文字列に付加された表示にされるので、表示中の表示情報に至るまでの各表示情報に対して入力された設定値を、ユーザに分かりやすく示すことができるという効果がある。
【００１３】
なお、「設定値を表す設定値情報を当該対応文字列に付加した表示にする」とは、遷移文字列に含まれる全ての対応文字列に設定値情報を付加した表示とすることであっても良いが、遷移文字列に含まれる対応文字列のうち、設定値が入力された表示情報に対応する対応文字列にのみ、設定値情報を付加した表示とするものであっても良い。
【００１４】
また、特許請求の範囲および明細書における「文字」とは、アルファベットなど、言語に直接結びついた文字に限定されるものではなく、記号や数字などであっても良い。
【００１５】
請求項２記載の表示装置によれば、請求項１記載の表示装置の奏する効果に加え、ウィザード形式によって表示される第２種表示情報に対応する対応文字列は、第１種表示情報とは異なる列の遷移文字列に含めて表示されるので、ウィザード形式によって表示される複数の第２種表示情報の中で、表示中の第２種表示情報がどのような階層に位置しているかをユーザが容易に把握できるという効果がある。また、ウィザード形式で表示される各第２種表示情報に対して入力された一連の設定値を、遷移文字列によってまとめてユーザに示すことができるという効果がある。
【００１６】
請求項３記載の表示装置によれば、請求項２記載の表示装置の奏する効果に加え、対応文字列と、当該対応文字列に対応する第２種表示情報に対して入力された設定値を表す設定値情報とが文字列の長手方向に連結された階層情報が並ぶように、遷移文字列が表示されるので、遷移文字列によって示される各対応文字列に対応した各表示情報に対し、どのような設定値が入力されたか、をユーザに分かりやすく示すことができるという効果がある。
【００１７】
請求項４記載の表示装置によれば、請求項３記載の表示装置の奏する効果に加え、対応文字列とは異なる表示形態で、設定値情報が表示されるので、遷移文字列において、対応文字列と設定値情報とが交互に並んでいても、対応文字列であるか設定値情報であるかを、ユーザが容易に判別できるという効果がある。
【００１８】
請求項５記載の表示装置によれば、請求項４記載の表示装置の奏する効果に加え、各階層情報間に第１区切り文字が介在させられるので、１つの表示情報に対する対応文字列と設定値情報とを一組の情報として、ユーザが視認できるという効果がある。
【００１９】
請求項６記載の表示装置によれば、請求項５記載の表示装置の奏する効果に加え、各階層情報に含まれる対応文字列と設定値情報との間には、第１区切り文字とは異なる第２区切り文字が介在させられるので、ユーザは、対応文字列と設定値情報とを、第２区切り文字により区別して視認できるという効果がある。さらに、第２区切り文字は第１区切り文字とは異なるので、階層情報間を区切る区切り文字であるか、階層情報内の情報を区切る区切り文字であるかが、ユーザにとって分かりやすいという効果がある。
【図面の簡単な説明】
【００２０】
【図１】ＭＦＰの電気的構成を示したブロック図である。
【図２】画面管理テーブルの構成の一例を示す図である。
【図３】ＬＣＤにおける画面の遷移の例を示すイメージ図である。
【図４】（ａ）は、ＬＣＤに表示されるパンくず文字列を示す図であり、（ｂ）は、（ａ）に示すパンくず文字列を表示するために生成されるパンくず文字列構造体Ｂｔを示す図である。
【図５】画面表示処理を示すフローチャートである。
【図６】図５に示す画面表示処理の続きを示すフローチャートである。
【図７】ラスタライズ後のパンくず文字列を拡大して示す図である。
【図８】図６に示す処理の続きを示すフローチャートである。
【図９】図８に示す処理の続きを示すフローチャートである。
【発明を実施するための形態】
【００２１】
以下、本発明の実施形態について、添付図面を参照して説明する。図１は、本発明の表示装置の実施形態である多機能周辺装置（以下、「ＭＦＰ（Ｍｕｌｔｉ  Ｆｕｎｃｔｉｏｎ  Ｐｅｒｉｐｈｅｒａｌ）」と称す）１の電気的構成を示したブロック図である。
【００２２】
ＭＦＰ１は、ファクシミリ機能、プリント機能などの各種機能を有する多機能周辺装置である。このＭＦＰ１は、各種機能の動作条件等を規定する種々の設定項目を有している。さらにＭＦＰ１は、各設定項目の設定内容を変更するための複数種類の設定画面を階層管理し、ユーザ操作に応じて液晶表示器２７（ＬＣＤ２７）に表示する画面を遷移させる。そして、このＭＦＰ１は、表示中の設定画面がどのような階層の画面であるかをユーザに把握させるためのパンくず文字列３５ａ，３５ｂ（図３）を、ＬＣＤ２７に表示できるように構成されているが、詳細は後述する。
【００２３】
図１に示すように、ＭＦＰ１には、ＣＰＵ１１、ＲＯＭ１２、ＲＡＭ１４、ＥＥＰＲＯＭ１５、電話／ＦＡＸ部１９、スキャナ２２、プリンタ２５、操作キー２６、ＬＣＤ２７、タッチパネル２８が備えられ、これらはバスライン２９を介して相互に接続されている。なお、ＭＦＰ１は、パーソナルコンピュータまたはＬＡＮ（図示せず）と接続するためのインターフェイス等、さらに他の構成も備えていても良いが、図示および説明は省略する。
【００２４】
ＲＯＭ１２は、このＭＦＰ１で実行される制御プログラム１２ａ、画面管理テーブル１２ｂなどを格納した書換不能なメモリである。図５から図９に図示されるフローチャートに示す処理は、制御プログラム１２ａに従ってＣＰＵ１１により実行される。画面管理テーブル１２ｂについては、図２を参照して後述する。
【００２５】
ＲＡＭ１４は各種の情報を一時的に記憶するためのメモリである。ＥＥＰＲＯＭ１５は、各種設定項目の設定内容や固定値を書き換え可能に記憶すると共に、電源遮断後も内容を保持可能な不揮発性のメモリである。
【００２６】
ＬＣＤ２７は、ＬＣＤパネル（図示せず）を有する。ＭＦＰ１は、ＬＣＤ２７のＬＣＤパネルに、予め準備された設定画面を表示させる。設定画面については、図３を参照して後述する。タッチパネル２８は、入力装置の一種で、ＬＣＤ２７が有するＬＣＤパネルの表示面に並設されている。ユーザがＬＣＤ２７のＬＣＤパネルの表示面を指等で触れると、タッチパネル２８は、その指で触れられた位置を検出する。
【００２７】
このように構成されたＭＦＰ１は、プリントを実行するプリントモード、ファクシミリの送受信を実行するファクシミリモード、予め設けられた複数の設定項目のいずれかについて設定内容を変更する設定モードのいずれかのモードに切り替え可能に構成されている。
【００２８】
図２は、画面管理テーブル１２ｂの構成の一例を示す図である。画面管理テーブル１２ｂは、予め準備された設定画面の各々について、階層数と、画面タイトルと、タイトル文字列ＩＤと、種別とを規定するテーブルである。ＭＦＰ１は、この画面管理テーブル１２ｂに従って、複数種類の設定画面を階層管理する。
【００２９】
階層数は、各設定画面が属する階層を示す値である。図２に示すように、各設定画面はいずれかの階層に属する。階層数が小さいほど、上位階層であることを表している。画面タイトルは、各設定画面の内容を把握できるような文字列で構成され、各設定画面に対応付けて、画面管理テーブル１２ｂに記憶されている。タイトル文字列ＩＤはリソースＩＤであって、各画面タイトルに、１対１で割り当てられている文字列である。このタイトル文字列ＩＤは、後述するパンくず文字列の作成に利用される。
【００３０】
図２に示すように、画面管理テーブル１２ｂにおいては、第１階層（階層数が１）の設定画面として、画面タイトルMenuの設定画面が規定される。そして、第１階層の直下の第２階層（階層数＝２）の設定画面として、一般設定画面（画面タイトルGeneral  Setup）、ファクシミリ設定画面（画面タイトルFax）、ネットワーク設定画面（画面タイトルNetwork）が規定されている。画面管理テーブル１２ｂには、さらに、第２階層よりも下層の設定画面に関する情報が規定されている。なお、第７階層よりも下位の階層については、図２において、その図示を省略する。
【００３１】
ＭＦＰ１は、上位階層から下位階層へ、階層順に画面を遷移させる。例えば、第４階層に属するＴＣＰ／ＩＰ画面（画面タイトルTCP/IP）を表示させるためには、第１階層の設定画面を表示させ、次に、第２階層のネットワーク設定画面を表示させ、次に、第３階層のＬＡＮ設定画面（画面タイトルWiredLAN）を表示させ、その次に、第４階層のＴＣＰ／ＩＰ画面を表示させる。
【００３２】
画面管理テーブル１２ｂは、各設定画面について、種別として「メニュー」か「ウィザード」のいずれかを規定する。以下の説明においては、種別がメニューである設定画面を「メニュー画面」と称し、種別がウィザードである設定画面を「ウィザード画面」と称する。メニュー画面の表示中に、そのメニュー画面の下位階層に位置づけられた設定画面を選択する操作をユーザが行うと、ＭＦＰ１は、ＬＣＤ２７における表示を、その選択操作に対応した１階層下の設定画面に遷移させる。
【００３３】
一方、ＭＦＰ１は、予め定められた手順で一連の設定値をユーザに入力させるためのウィザード形式によって、複数のウィザード画面を階層に応じた順序で遷移させる。具体的には、ウィザード画面の表示中に、そのウィザード画面に対して、設定値をユーザが入力すると、ＭＦＰ１は、ＬＣＤ２７における表示を、１階層下のウィザード画面へ遷移させる。例えば、第５階層のウィザード画面（画面タイトルＳＳＩＤ）に対して、ユーザが設定値としてＳＳＩＤを入力すると、ＭＦＰ１は、第６階層のウィザード画面にＬＣＤ２７の表示を遷移させ、次の設定項目についてユーザに設定値の入力を促す。
【００３４】
図３を参照して、ＬＣＤ２７に表示される画面について説明する。図３は、ＬＣＤ２７における画面の遷移の例を示すイメージ図である。図３に示されるように、ＬＣＤパネルにおける表示領域は、選択画面表示領域３２、画面説明領域３４を有している。
【００３５】
選択画面表示領域３２には、設定画面が表示される。設定画面は、ユーザによる選択操作を受け付けるための選択項目３３を含む。各選択項目３３は、ユーザによる操作を受け付けるためのボタンとして機能する表示要素である。図３の最上段には、選択画面表示領域３２に、第６階層のウィザード画面（画面タイトルSSID）が表示された例を示す。ウィザード画面に含まれる選択項目３３には、表示中の設定画面に対して入力可能な設定値が付される。一方、メニュー画面に含まれる選択項目３３には、１階層下の設定画面の画面タイトルが付される。
【００３６】
設定画面が表示されたＬＣＤ２７のＬＣＤパネルにおいて、ユーザが選択項目３３に触れる操作は、表示中の設定画面がウィザード画面である場合は、そのウィザード画面に対する設定値を入力する操作に相当する。一方、表示中の設定画面がメニュー画面である場合は、１階層下の設定画面を選択する操作に相当する。いずれの場合も、ＭＦＰ１は、ユーザ操作に応じて、１階層下の設定画面に、表示を遷移させる。
【００３７】
パンくずリスト表示領域３４は、上段の第１文字列表示領域３４ａと、下段の第２文字列表示領域３４ｂとから構成される。第１文字列表示領域３４ａは、メニューパンくず文字列３５ａの表示に割り当てられる領域である。メニューパンくず文字列３５ａは、現在表示中の設定画面に至るまでに表示された、メニュー画面に対応する画面タイトルが、階層の順に横方向（文字列の長手方向）に並ぶ一行の文字列である。例えば、図３の最上段に示す例では、表示中である第６階層の設定画面に至るまでに表示された、第１階層から第４階層のメニュー画面の画面タイトルを連結した文字列が、メニューパンくず文字列３５ａとして表示されている。このようにすれば、現在表示中の画面に至るまでのメニュー画面の遷移の履歴をユーザに示すことができる。
【００３８】
さらに、ＭＦＰ１は、メニューパンくず文字列３５ａに含まれる各画面タイトルの先頭に、各画面タイトルを区切る階層区切り文字３５ｃ「＞」を付す。この階層区切り文字３５ｃにより、ユーザは、メニューパンくず文字列３５ａを、画面タイトル毎に読むことができる。
【００３９】
第２文字列表示領域３４ｂは、ウィザードパンくず文字列３５ｂの表示に割り当てられる領域である。ウィザードパンくず文字列３５ｂは、現在表示中の設定画面に至るまでに表示された、ウィザード画面に対応する画面タイトルを、階層の順に横方向（文字列の長手方向）に並べて作成される一行の文字列である。例えば、図３の最上段に示す例では、表示中である第５階層の設定画面のみがウィザード画面であるため、第５階層のウィザード画面の画面タイトル「SSID」のみが、ウィザードパンくず文字列３５ｂとして表示されている。
【００４０】
このように、本実施形態のＭＦＰ１は、メニュー画面の画面タイトルと、ウィザード画面の画面タイトルとを、互いに異なる列のパンくず文字列に含めて表示する。このようにすれば、ウィザード形式によって、一連の決められた順序で表示される複数のウィザード画面の中で、表示中のウィザード画面がどのような階層に位置しているかをユーザが容易に把握できる。すなわち、上段のメニューパンくず文字列３５ａによりウィザード開始前の操作の流れを把握することができ、下段のウィザードパンくず文字列３５ｂによりウィザード開始後の操作の流れを把握できる。
【００４１】
そして、画面タイトル「SSID」のウィザード画面に対し、選択項目３３を利用して設定値が入力されると、ＭＦＰ１は、画面タイトル「SSID」と、当該画面タイトルに対応するウィザード画面に対応して入力された設定値を表す設定値３５ｄとを、文字列の長手方向に連結した階層情報３５ｅが、ウィザードパンくず文字列３５ｂの長手方向に並ぶように、画面タイトルに設定値３５ｄを付加した表示とする。例えば、画面タイトル「SSID」のウィザード画面に対し、設定値「abc」が入力されると、ＭＦＰ１は、図３の上から２段目の画面図に示すように、画面タイトルが「Mode」のウィザード画面へ遷移させると共に、ウィザードパンくず文字列３５ｂの表示を更新する。このようにすれば、ウィザードパンくず文字列３５ｂによって示される各画面タイトルに対応した各ウィザード画面に対し、どのような設定値が入力されたか、をユーザに分かりやすく示すことができる。
【００４２】
さらに、ＭＦＰ１は、階層区切り文字３５ｃと、遷移後ウィザード画面の画面タイトル「Mode」とを、ウィザードパンくず文字列３５ｂに追加して表示する。そして、ウィザード画面に対して設定値が入力される毎に、ウィザード画面を遷移させ、遷移元ウィザード画面の画面タイトルに、入力された設定値３５ｄを付加し、階層区切り文字３５ｃと、遷移後ウィザード画面の画面タイトルを追加する。
【００４３】
このようにすれば、ウィザード形式で表示される各ウィザード画面に対して入力された一連の設定値を、ウィザードパンくず文字列３５ｂによってまとめてユーザに示すことができる。
【００４４】
また、各階層情報３５ｅ間には、階層区切り文字３５ｃを介在させることができるので、１つのウィザード画面に対する画面タイトルと設定値３５ｄとを一組の階層情報３５ｅとして、ユーザが視認できる。
【００４５】
さらに、ＭＦＰ１は、各階層情報３５ｅに含まれる画面タイトルと設定値３５ｄとの間に、階層内区切り文字３５ｆを介在させる。このようにすれば、ユーザは、画面タイトルと設定値３５ｄとを、階層内区切り文字３５ｆにより区別して視認できる。さらに、階層内区切り文字３５ｆは階層区切り文字３５ｃとは異なる文字で構成することにより、階層情報３５ｅ間を区切る区切り文字であるか、階層情報３５ｅ内の情報を区切る区切り文字であるかが、ユーザにとって分かりやすい。
【００４６】
さらに、ＭＦＰ１は、画面タイトルとは異なる表示形態で、設定値３５ｄを表示する。このようにすれば、ウィザードパンくず文字列３５ｂにおいて、画面タイトルと設定値３５ｄとが交互に並んでいても、画面タイトルであるか設定値３５ｄであるかを、ユーザが容易に判別できる。
【００４７】
なお、本実施形態においては、画面タイトルと設定値３５ｄとの表示形態を異ならしめるために、ＭＦＰ１は、ウィザードパンくず文字列３５ｂにおける画面タイトルを、背景色無しで表示する一方で、設定値３５ｄを、有色の背景色に白抜きで表示される文字列として表示するものとして説明する。しかしながら、画面タイトルと設定値３５ｄとを区別するための表示形態はこれに限られず、例えば、設定値３５ｄを画面タイトルと同様に背景色無しとし、文字色のみを画面タイトルと異ならせるように構成しても良い。
【００４８】
また、パンくず文字列３５ａ，３５ｂの先頭から末尾までの長さが長くなり、パンくず文字列３５ａ，３５ｂの先頭から末尾までの全体が、パンくずリスト表示領域３４に収まらない場合がある。例えば、第６階層のウィザード画面（画面タイトルMode）で通信モードを設定し、第７階層のウィザード画面（画面タイトルTransparency）でセキュリティ機能の設定を行うと、図３の下から２段目の画面図に示すように、ウィザードパンくず文字列３５ｂの全体を一度に表示することができない。
【００４９】
この場合、ＭＦＰ１は、より上位階層側の画面タイトルを折りたたみ（非表示とし）、階層区切り文字３５ｃのみを残す。このようにすれば、現在表示中のウィザード画面により近いウィザード画面の画面タイトルを、ウィザードパンくず文字列３５ｂによって、ユーザに視認させることができる。また、非表示とするのは画面タイトルのみであり、階層区切り文字３５ｃはそのまま表示するので、残されている階層区切り文字３５ｃの数によって、どの程度の個数の画面タイトルが折りたたまれているか（非表示とされているか）を、ユーザに把握させることができる。なお、ここでは、ウィザードパンくず文字列３５ｂについて説明したが、ＭＦＰ１は、メニューパンくず文字列３５ａについても、同じ条件で、画面タイトルの一部を非表示とするように構成されている。
【００５０】
さらに、選択項目３３が多数であり、選択項目３３を１度に表示しきれない場合は、サイドバー領域３８を描画し、サイドバー領域３８の操作によって、非表示であった選択項目３３がスクロール表示されるように構成しても良い。
【００５１】
図４を参照して、パンくず文字列３５ａ，３５ｂを表示するためにＭＦＰ１が作成するパンくず文字列構造体Ｂｔについて説明する。図４（ａ）は、ＬＣＤ２７に表示されるメニューパンくず文字列３５ａと、ウィザードパンくず文字列３５ｂとを示す図である。図４（ｂ）は、（ａ）に示すパンくず文字列３５ａ，３５ｂを表示するために作成されるパンくず文字列構造体Ｂｔを模式的に示す図である。
【００５２】
図４（ａ）に示すメニューパンくず文字列３５ａは、第１階層から第４階層のメニュー画面の画面タイトルを階層順に並べたパンくず文字列であり、ウィザードパンくず文字列３５ｂは、第５階層と第６階層のウィザード画面の画面タイトルを並べたパンくず文字列である。
【００５３】
この場合、パンくず文字列構造体Ｂｔには、第１階層から第６階層の設定画面に関する情報が登録される。図４（ｂ）に示すように、パンくず文字列構造体Ｂｔは、各階層についてタイトル文字列ＩＤ，種別、設定値を１つずつ登録可能に構成された配列の情報であって、表示中の設定画面が遷移する毎に、更新される。
【００５４】
「タイトル文字列ＩＤ」は、パンくず文字列３５ａ，３５ｂに含めて表示される画面タイトルに対応付けて画面管理テーブル１２ｂ（図２）に記憶されたタイトル文字列ＩＤである。ＭＦＰ１は、このタイトル文字列ＩＤに基づいて、パンくず文字列３５ａ，３５ｂに含めて表示すべき各階層の画面タイトルを特定する。「種別」は、「Menu」か「Wizard」のいずれかを示す情報である。ＭＦＰ１は、「種別」に「Menu」が記憶された階層については、その画面タイトルをメニューパンくず文字列３５ａに含めて表示し、「種別」に「Wizard」が記憶された階層については、その画面タイトルをウィザードパンくず文字列３５ｂに含めて表示する。「設定値」は、各階層のウィザード画面に対して、ユーザが入力した設定値を示す情報である。ＭＦＰ１は、この「設定値」に基づいて、各ウィザード画面に対してユーザが入力した設定値を特定し、その特定した設定値を表す設定値３５ｄを、ウィザードパンくず文字列３５ｂに含めて表示する。
【００５５】
図５，図６は、画面表示処理を示すフローチャートである。この画面表示処理は、ＭＦＰ１が設定モードにある間、ＭＦＰ１のＣＰＵ１１によって定期的に実行される。
【００５６】
まず、ＣＰＵ１１は、ステップ（以下、ステップを省略する）Ｓ５０２を実行し、画面遷移イベントを取得する（Ｓ５０２）。具体的には、ＬＣＤ２７において、選択項目３３に対する操作がタッチパネル２８（図１）により検出されたことを、画面遷移イベントとして取得する。
【００５７】
次に、ＣＰＵ１１は、画面遷移イベントが有りか否かを判断する（Ｓ５０４）。Ｓ５０４の判断が否定される場合（Ｓ５０４：Ｎｏ）、Ｓ５０２から処理を繰り返す。
【００５８】
一方、Ｓ５０４の判断が肯定される場合（Ｓ５０４：Ｙｅｓ）、ＣＰＵ１１は、現在表示中の画面の階層数ｆを取得する（Ｓ５０６）。次に、ＣＰＵ１１は、取得した画面遷移イベントが、第１階層の設定画面への遷移に対応するイベントであったか否かを判断する（Ｓ５０８）。第１階層の設定画面への遷移がユーザにより指示された場合、Ｓ５０８の判断が肯定される（Ｓ５０８：Ｙｅｓ）。この場合、ＣＰＵ１１は、階層数ｆを「１」とし（Ｓ５０９）、第１階層のタイトル文字列ＩＤ（図２）と種別「Menu」を、パンくず文字列構造体Ｂｔに登録し（Ｓ５１０）、第２階層以下の情報を、パンくず文字列ＩＤから削除し（Ｓ５１１）、図６に示す処理に移行する。
【００５９】
一方、Ｓ５０８の判断が否定される場合（Ｓ５０８：Ｎｏ）、ＣＰＵ１１は、取得した画面遷移イベントが、下位階層側への画面遷移に対応するイベントであったか否かを判断する（Ｓ５１２）。具体的には、選択画面表示領域３２（図３）に表示中の選択項目３３（図３）が操作される場合、またはユーザにより例えばテンキー（図示せず）から設定値が入力された場合、Ｓ５１２の判断が肯定される（Ｓ５１２：Ｙｅｓ）。この場合、ＣＰＵ１１は、次に、現在表示中の設定画面（すなわち遷移元の設定画面）の種別が「Wizard」か否かを判断する（Ｓ５１３）。Ｓ５１３が否定される場合（Ｓ５１３：Ｎｏ）、ＣＰＵ１１は、パンくず文字列構造体Ｂｔの第ｆ階層の設定値に「null」を登録する（Ｓ５１５）。一方、Ｓ５１３が肯定される場合（Ｓ５１３：Ｙｅｓ）、ＣＰＵ１１は、パンくず文字列構造体Ｂｔの第ｆ階層の設定値に、ユーザが入力した設定値を登録する（Ｓ５１４）。
【００６０】
次に、ＣＰＵ１は、階層数ｆに１を加算し（Ｓ５１６）、Ｂｔの第ｆ階層に、遷移後の設定画面に対応するタイトル文字列ＩＤと種別とを登録し（Ｓ５１７）、図６に示すＳ６０２に移行する。
【００６１】
一方、Ｓ５１２の判断が否定される場合（Ｓ５１２：Ｎｏ）、ＣＰＵ１１は、取得した画面遷移イベントが、上位階層側への画面遷移に対応するイベントであったか否かを判断する（Ｓ５１８）。例えば、操作キー２６に含まれるキャンセルキー（図示せず）が操作される場合、Ｓ５１８の判断が肯定される（Ｓ５１８：Ｙｅｓ）。この場合、ＣＰＵ１１は、階層数ｆから１を減算し（Ｓ５２０）、パンくず文字列構造体Ｂｔから、第ｆ階層よりも下の階層の情報を削除し（Ｓ５２２）、図６に示すＳ６０２に移行する。
【００６２】
一方、Ｓ５１８の判断が否定される場合（Ｓ５１８：Ｎｏ）、ＣＰＵ１１は、取得した画面遷移イベントが、設定画面表示終了に対応するイベントであったか否かを判断する（Ｓ５２４）。例えば、設定モードから他のモードへの切り替えの指示が入力された場合は、Ｓ５２４の判断が肯定される（Ｓ５２４：Ｙｅｓ）。この場合、ＣＰＵ１１は、階層数ｆを０とし（Ｓ５２６）、Ｂｔに登録された情報を削除して（Ｓ５２８）、画面表示処理を終了する。一方、Ｓ５２４の判断が否定される場合（Ｓ５２４：Ｎｏ）、Ｓ５０２に戻り処理を繰り返す。
【００６３】
図６を参照して、画面表示処理の続きについて説明する。まず、ＣＰＵ１１は、表示する設定画面がメニュー画面か否かを判断する（Ｓ６０２）。Ｓ６０２の判断が否定される場合（Ｓ６０２：Ｎｏ）、図８に示すＳ８０２に移行する。一方、Ｓ６０２の判断が肯定される場合（Ｓ６０２：Ｙｅｓ）、ＣＰＵ１１は、階層数を表す変数Ｊを１とし（Ｓ６０４）、メニューパンくず文字列Menu_Sをクリアする（Ｓ６０６）。なお、メニューパンくず文字列Menu_Sは、メニューパンくず文字列３５ａを文字コードで表す情報である。
【００６４】
次に、ＣＰＵ１１は、変数Ｊが階層数ｆより小さいか否かを判断する（Ｓ６０８）。Ｓ６０８の判断が肯定される場合（Ｓ６０８：Ｙｅｓ）、ＣＰＵ１１は、階層区切り文字３５ｃ「＞」（図３）に対応する文字コードを、メニューパンくず文字列Menu_Sに追加する（Ｓ６１０）。次に、ＣＰＵ１１は、パンくず文字列構造体Ｂｔの第Ｊ階層のタイトル文字列ＩＤを画面タイトルに変換する。そして、Ｓ６１０で追加した階層区切り文字３５ｃに対応する情報の末尾側に、その画面タイトルを配置したメニューパンくず文字列Menu_Sを作成し、ＲＡＭ１４（図１）に格納する（Ｓ６１２）。そして、変数Ｊに１を加算し（Ｓ６１４）、Ｓ６０６の処理に戻る。
【００６５】
このようにして処理を繰り返すことで、メニューパンくず文字列Menu_Sを作成できる。そして、処理を繰り返す内に、Ｓ６０８の判断が否定される場合（Ｓ６０８：Ｎｏ）、ＣＰＵ１１は、ユーザにより選択された設定画面を表す選択画面表示領域３２を描画する（Ｓ６１５）。すなわち、メニュー画面の表示中に、そのメニュー画面の１階層下に位置づけられた他の設定画面を、選択項目３３によりユーザが選択する操作を行ったことに基づいて、ＭＦＰ１は、ＬＣＤ２７における表示を、その選択操作に対応した下位階層の設定画面へ遷移させる。なお、Ｓ６１５においては、必要に応じてサイドバー領域３８を描画する。
【００６６】
次に、ＣＰＵ１１は、変数Ｋを１とし（Ｓ６１６）、メニューパンくず文字列Menu_Sをラスタライズして、ラスタデータを生成し（Ｓ６１８）、ラスタデータの長手方向の長さを表示幅Ｗｓとして算出し、取得する（Ｓ６２０）。メニューパンくず文字列Menu_Sは、後の処理においてラスタライズされて、メニューパンくず文字列３５ａとして表示されるので、ラスタライズ後のパンくず文字列の長手方向の長さ（表示幅Ｗｓ）を求めることで、第１文字列表示領域３４ａに実際に表示されるメニューパンくず文字列３５ａの長手方向の長さ（すなわち、列方向の長さ）を取得することができる。
【００６７】
図７は、ラスタライズ後のメニューパンくず文字列を拡大して示す図である。メニューパンくず文字列Menu_Sをラスタライズすることにより、メニューパンくず文字列を点（ピクセル）の集合で表すビットマップデータが得られる。本実施形態では、各文字およびスペースの表示に要する幅方向のピクセル数を加算して、メニューパンくず文字列３５ａの長手方向の長さに相当する表示幅Ｗｓを計算する。
【００６８】
なお、ＬＣＤ２７に表示する文字の文字サイズを、ユーザが自由に設定でき、あるいは文字のフォントをユーザが自由に設定できるように、ＭＦＰ１が構成されている場合がある。その場合、Ｓ６１８においては、これらの設定に関する設定値を読み出し、ユーザが設定した文字サイズとフォントで、メニューパンくず文字列Menu_Sをビットマップデータに展開する。フォントによっては、文字毎に幅が異なる場合がある。例えば、プロポーショナルフォントの場合、図７に示すように、Ｍ，Ｅ，Ｎの幅は８ピクセルとなるのに対し、Ｕの幅は７ピクセルとなる。さらに、英文字と漢字とでは、文字幅が異なる場合がある。よって、単に文字数に基づいて表示幅Ｗｓを計算するよりも、ラスタライズ後のビットマップデータに基づいて表示幅Ｗｓを計算することにより、より適切な表示幅Ｗｓを取得することができるのである。
【００６９】
図６に戻り説明する。次に、ＣＰＵ１１は、作成されたメニューパンくず文字列Menu_Sに基づくメニューパンくず文字列３５ａを、第１文字列表示領域３４ａに表示する場合に、そのメニューパンくず文字列３５ａが、第１文字列表示領域３４ａに収まるか否かを判断する。具体的には、メニューパンくず文字列３５ａの長手方向の長さを示す表示幅Ｗｓが、予め定められた所定値W_Menu以下であるか否かを判断する（Ｓ６２２）。ラスタライズ後のパンくず文字列の文字列幅Ｗｓに基づいて、メニューパンくず文字列３５ａが第１文字列表示領域３４ａに収まるか否かを判断するので、正確な判断を行うことができる。ここで、所定値W_Menuは、第１文字列表示領域３４ａの横方向（長手方向）に表示可能なピクセル数に等しい値である。
【００７０】
表示幅Ｗｓが所定値W_Menuより大きい場合（Ｓ６２２：Ｎｏ）、すなわち、メニューパンくず文字列３５ａが第１文字列表示領域３４ａに収まらないと判断される場合、ＣＰＵ１１は、メニューパンくず文字列Menu_Sの中の第Ｋ階層の画面タイトルを削除し（Ｓ６２４）、変数Ｋに１を加算し（Ｓ６２６）、Ｓ６１８から処理を繰り返す。そして、Ｓ６２２の判断が肯定されると（Ｓ６２２：Ｙｅｓ）、ＣＰＵ１１は、メニューパンくず文字列Menu_Sに対応するメニューパンくず文字列３５ａを、第１文字列表示領域３４ａに表示する（Ｓ６２８）。そして、ＣＰＵ１１は、パンくず文字列構造体Ｂｔの第Ｊ階層のタイトル文字列ＩＤを、画面タイトルに変換し（Ｓ６３０）、その画面タイトルを、第２文字列表示領域３４ｂに表示し（Ｓ６３２）、図５に示すＳ５０２へ移行する。このようにすれば、ウィザード画面を表示しておらず、ウィザードパンくず文字列３５ｂを表示する必要がない場合には、第２文字列表示領域３４ｂに現在表示中のメニュー画面（すなわち、第Ｊ階層の設定画面）の画面タイトルを表示することができ、ＬＣＤ２７の限られた表示領域を有効に利用して、可能な限り多くの情報をユーザに提供することができる。
【００７１】
図８を参照して、画面表示処理の続きを説明する。まず、ＣＰＵ１１は、変数Ｊを１とし（Ｓ８０２）、メニューパンくず文字列Menu_Sをクリアし（Ｓ８０４）、ウィザードパンくず文字列Wizard_Sをクリアする（Ｓ８０６）。なお、ウィザードパンくず文字列Wizard_Sは、ウィザードパンくず文字列３５ｂを文字コードで表す情報である。
【００７２】
次に、ＣＰＵ１１は、変数Ｊが階層数ｆよりも小さいか否かを判断する（Ｓ８０８）。最初は、Ｓ８０８の判断が肯定されるので（Ｓ８０８：Ｙｅｓ）、ＣＰＵ１１は、パンくず文字列構造体Ｂｔの第Ｊ階層の種別が「Menu」か否かを判断する（Ｓ８１０）。
【００７３】
最初は、Ｓ８１０の判断が肯定されるので（Ｓ８１０：Ｙｅｓ）、ＣＰＵ１１は、階層区切り文字３５ｃ（図３）に対応する文字コードを、メニューパンくず文字列Menu_Sに追加する（Ｓ８１２）。次に、ＣＰＵ１１は、パンくず文字列構造体Ｂｔの第Ｊ階層のタイトル文字列ＩＤを、画面タイトルに変換する（Ｓ８１４）。そして、Ｓ８１２において、メニューパンくず文字列Menu_Sに追加した階層区切り文字３５ｃに対応する情報の末尾側に、その画面タイトルを追加する（Ｓ８１６）。そして、ＣＰＵ１１は、変数Ｊに１を加算し（Ｓ８１８）、変数Ｘに変数Ｊを格納し（Ｓ８２０）、Ｓ８０８に戻る。
【００７４】
このようにして処理を繰り返すうちに、第Ｊ階層の種別が「Menu」ではない、すなわち「Wizard」であると判断されると（Ｓ８１０：Ｎｏ）、次に、ＣＰＵ１１は、パンくず文字列構造体Ｂｔの第Ｊ階層の設定値がnullか否かを判断する（Ｓ８２２）。Ｓ８２２の判断が否定される場合（Ｓ８２２：Ｎｏ）、ＣＰＵ１１は、パンくず文字列構造体Ｂｔに従って、第Ｊ階層の設定値（すなわち、第Ｊ階層のウィザード画面に対してユーザにより入力された設定値）を特定し、階層内区切り文字３５ｆである「：」と、第Ｊ階層の設定値と、階層区切り文字３５ｃである「＞」とに対応する文字コードを、ウィザードパンくず文字列Wizard_Sに追加する（Ｓ８２４）。このようにすれば、後述する処理においては、各画面タイトルに設定値３５ｄを付加した態様のウィザードパンくず文字列３５ｂを、ウィザードパンくず文字列Wizard_Sに基づいて表示することができる。また、各階層情報３５ｅ間には、階層区切り文字３５ｃを介在させることができ、各階層情報３５ｅに含まれる画面タイトルと設定値３５ｄとの間には、階層内区切り文字３５ｆを介在させることができる。なお、Ｓ８２２の判断が肯定される場合（Ｓ８２２：Ｙｅｓ）、ＣＰＵ１１は、Ｓ８２４をスキップする。
【００７５】
次に、ＣＰＵ１１は、パンくず文字列構造体Ｂｔの第Ｊ階層のタイトル文字列ＩＤを、画面タイトルに変換する（Ｓ８２６）。そして、Ｓ８２４において、ウィザードパンくず文字列Wizard_Sに追加した階層区切り文字３５ｃに対応する文字コードの末尾側に、その画面タイトルを追加する（Ｓ８２８）。そして、ＣＰＵ１１は、変数Ｊに１を加算し（Ｓ８３０）、Ｓ８０８に戻る。
【００７６】
そして、処理を繰り返すうちに、Ｓ８０８の判断が否定されると（Ｓ８０８：Ｎｏ）、１階層下のウィザード画面を表す選択画面表示領域３２を描画することにより、表示中の設定画面を遷移させ（Ｓ８３２）、図９に示すＳ９０２に移行する。すなわち、複数のウィザード画面を階層に応じた順序で遷移させる。図８に示す処理によれば、パンくず文字列構造体Ｂｔに基づいて、メニューパンくず文字列Menu_Sと、ウィザードパンくず文字列Wizard_Sとを作成できる。なお、Ｓ８３２においては、必要に応じてサイドバー領域３８を描画する。
【００７７】
図９を参照して、画面表示処理の続きを説明する。なお、Ｓ９０１からＳ９１０に示す処理は、図６を参照して説明したＳ６１６からＳ６２８の処理とほぼ同じであるため、簡単に説明する。まず、ＣＰＵ１１は、変数Ｋを１とし（Ｓ９０１）、メニューパンくず文字列Menu_Sをラスタライズして、ラスタデータを生成し（Ｓ９０２）、ラスタデータの長手方向の長さを表示幅Ｗｓとして算出し、取得する（Ｓ９０３）。次に、ＣＰＵ１１は、表示幅Ｗｓが、所定値W_Menu以下であるか否かを判断する（Ｓ９０４）。表示幅Ｗｓが所定値W_Menuより大きい場合（Ｓ９０４：Ｎｏ）、ＣＰＵ１１は、メニューパンくず文字列Menu_Sの中の第Ｋ階層の画面タイトルを削除し（Ｓ９０６）、変数Ｋに１を加算し（Ｓ９０８）、Ｓ９０２から処理を繰り返す。そして、Ｓ９０４の判断が肯定されると（Ｓ９０４：Ｙｅｓ）、ＣＰＵ１１は、メニューパンくず文字列Menu_Sに対応するメニューパンくず文字列３５ａを、第１文字列表示領域３４ａに表示する（Ｓ９１０）。
【００７８】
次に、ＣＰＵ１１は、変数Ｋに変数Ｘを格納し（Ｓ９１１）、ウィザードパンくず文字列Wizard_Sをラスタライズして、ラスタデータを生成し（Ｓ９１２）、ラスタデータの長手方向の長さを表示幅Ｗ_subとして算出し、取得する（Ｓ９１３）。次に、ＣＰＵ１１は、表示幅Ｗ_subが、第２文字列表示領域３４ｂの長手方向に表示可能なピクセル数に等しい所定値W_Wizard以下であるか否かを判断する（Ｓ９１４）。表示幅Ｗ_subが所定値W_Wizardより大きい場合（Ｓ９１４：Ｎｏ）、ＣＰＵ１１は、ウィザードパンくず文字列Wizard_Sの中の第Ｋ階層の画面タイトルおよび設定値を削除し（Ｓ９１６）、変数Ｋに１を加算し（Ｓ９１８）、Ｓ９１２から処理を繰り返す。そして、Ｓ９１４の判断が肯定されると（Ｓ９１４：Ｙｅｓ）、ＣＰＵ１１は、ウィザードパンくず文字列Wizard_Sに対応するウィザードパンくず文字列３５ｂを、第２文字列表示領域３４ｂに表示する（Ｓ９２０）。
【００７９】
本実施形態のＭＦＰ１によれば、ウィザードパンくず文字列３５ｂは、各画面タイトルに対応するウィザード画面に対し入力された設定値３５ｄが当該画面タイトルに付加された表示にされるので、表示中のウィザード画面に至るまでの各ウィザード画面に対して入力された設定値を、ユーザに分かりやすく示すことができる。
【００８０】
上記実施形態における設定画面が表示情報の一例に相当し、メニュー画面が第１種表示情報の一例に相当し、ウィザード画面が第２種表示情報の一例に相当し、画面タイトルが対応文字列の一例に相当し、画面管理テーブル１２ｂが対応文字列記憶手段の一例に相当し、メニューパンくず文字列３５ａ，ウィザードパンくず文字列３５ｂが遷移文字列の一例に相当し、階層区切り文字３５ｃ第１区切り文字の一例に相当し、設定値３５ｄが設定値情報の一例に相当し、階層情報３５ｅが階層情報の一例に相当し、階層内区切り文字３５ｆが第２区切り文字の一例に相当し、ＬＣＤ２７が表示部の一例に相当する。Ｓ６１５を実行するＣＰＵ１１が選択応答手段の一例に相当する。Ｓ６２８，Ｓ９１０，Ｓ９２０を実行するＣＰＵ１１が遷移文字列表示手段の一例に相当する。Ｓ８２４を実行するＣＰＵ１１が設定値情報付加手段、第１区切り文字配置手段および第２区切り文字配置手段の一例に相当する。Ｓ８３２を実行するＣＰＵ１１がウィザード実行手段の一例に相当する。
【００８１】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８２】
例えば、上記実施形態では、パンくず文字列３５ａ，３５ｂは１行で表示されていたが、途中で改行して複数行で表示するように構成しても良い。その場合、第１文字列表示領域３４ａまたは第２文字列表示領域３４ｂの横幅を表す値にパンくず文字列表示可能行数を乗算した値に対応する数値を、表示幅Ｗｓ，Ｗ_subと比較される所定値とすれば良い。
【００８３】
また、上記実施形態では、パンくず文字列３５ａ，３５ｂの長手方向の長さを表す表示幅Ｗｓに基づいて、パンくず文字列３５ａ，３５ｂが第１文字列表示領域３４ａまたは第２文字列表示領域３４ｂに収まるかを判断していたが、これに変えて、パンくず文字列３５ａ，３５ｂを構成する文字数に基づいて、パンくず文字列３５ａ，３５ｂが第１文字列表示領域３４ａまたは第２文字列表示領域３４ｂに収まるか否かを判断するように構成しても良い。
【００８４】
また、上記実施形態では、各階層情報３５ｅに含まれる画面タイトルと設定値３５ｄとの間に、階層区切り文字３５ｃとは異なる階層内区切り文字３５ｆを介在させるものとして説明したが、階層区切り文字３５ｃと同一の区切り文字（上記実施形態では＞）が、画面タイトルと設定値３５ｄとの間に介在されても良い。例えば、画面タイトルがＳＳＩＤであり、その設定値３５ｄが「abc」であって、階層区切り文字３５ｃが「＞」である場合は、「SSID＞：abc」と表示しても、階層内区切り文字３５ｆとしての「：」によって、画面タイトルと設定値３５ｄとの区切り位置をユーザが認識できるので、このような態様で区切り文字３５ｃ，３５ｆを配置しても良い。
【符号の説明】
【００８５】
１                  ＭＦＰ
２７                ＬＣＤ
３４ａ              タイトル表示領域
３５ａ              画面タイトル
３４ｂ              パンくずリスト表示領域
３５ｂ              ウィザードパンくず文字列
【図１】
2010262450.tif 000003
【図２】
2010262450.tif 000004
【図３】
2010262450.tif 000005
【図４】
2010262450.tif 000006
【図５】
2010262450.tif 000007
【図６】
2010262450.tif 000008
【図７】
2010262450.tif 000009
【図８】
2010262450.tif 000010
【図９】
2010262450.tif 000011